(57)【特許請求の範囲】
【請求項１】
形成すべき画像の画像データを入力する画像データ入力手段と、該画像データを蓄積する画像データ蓄積手段と、該画像データ蓄積手段に蓄積された画像データに基づいて用紙に画像を形成する画像形成手段と、画像形成後の用紙に対して後処理を行う後処理手段と、その後処理の種類を選択する後処理選択手段とを有する画像形成装置において、
前記後処理選択手段によって選択し得る後処理にはそれぞれステープル位置の異なる複数のステープル処理が含まれ、
前記画像データ蓄積手段に蓄積された画像データを縮小サイズの画像データに変換する画像データ縮小手段と、
白紙に対してステープル処理を行った場合の２枚の用紙の見開き状態の仕上がり画像のデータを、前記後処理選択手段によって選択し得る各位置のステープル処理毎に記憶する記憶手段と、
縮小前の画像データに基づいて画像形成する用紙に前記後処理選択手段によって選択された後処理を施した場合の状態を示す仕上がり画像を前記縮小サイズの画像データを加工して表示する仕上がり画像表示手段とを設け、
前記仕上がり画像表示手段に、前記後処理選択手段によって選択されているステープル処理について前記記憶手段が記憶している見開き状態の仕上がり画像に前記縮小サイズの画像データを合成した仕上がり画像を表示する手段を設けたことを特徴とする画像形成装置。
【請求項２】
請求項１記載の画像形成装置であって、
前記仕上がり画像表示手段によって表示する仕上がり画像のページを指定する仕上がりページ指定手段を設けたことを特徴とする画像形成装置。
【請求項３】
請求項１又は２記載の画像形成装置において、前記後処理選択手段によって選択し得る後処理には穴開け処理も含まれ、前記仕上がり画像表示手段は、前記後処理選択手段によって選択された後処理の種類に従って白紙に対して前記ステープル処理を行った画像のデータと前記穴開け処理によって生じる穴の画像データと前記縮小サイズの画像データとを合成して前記仕上がり画像を表示する手段であることを特徴とする画像形成装置。
【請求項４】
請求項１乃至３のいずれか一項に記載の画像形成装置において、前記仕上がり画像表示手段は、前記後処理選択手段によってステープル処理が選択された場合には第１ページと最終ページ以外のページについて前記見開き状態の仕上がり画像に前記縮小サイズの画像データを合成した仕上がり画像を表示することを特徴とする画像形成装置。
【請求項５】
請求項１乃至４のいずれか一項に記載の画像形成装置において、前記仕上がり画像表示手段は、前記仕上がり画像を表示した後で前記後処理選択手段によって新たに後処理の選択が行われた場合には該選択に基づいて再度前記仕上がり画像を表示する手段を有することを特徴とする画像形成装置。
【発明の詳細な説明】
【０００１】
【発明の属する技術分野】
この発明は、画像形成済みの用紙に対してステープル処理、穴開け処理等の後処理を行うことのできる、プリンタ、デジタル複写機等の画像形成装置に関する。
【０００２】
【従来の技術】
近年のデジタル複写機等の画像形成装置には、１枚の用紙に複数ページ分の画像を形成する画像集約機能や、用紙の両面に画像を形成する両面機能等の様々な画像編集機能や、画像形成後の用紙に対してステープル処理や穴開け処理等の後処理を行う機能を有しているものがある。
このような画像形成装置では、これらの設定を操作パネル上で行ってから画像形成を開始するが、設定の組み合わせが多い場合には、実際に出力される画像がイメージしづらいため、ユーザが所望と異なる設定をしてしまうことがあった。このような場合には、再度画像形成をやり直すことになるため、用紙やトナー等の無駄が生じていた。
【０００３】
このような問題を解決する装置として、特開平１１−１８７２５６号公報には、通常の画像出力に先だって試し画像を出力することを選択できる画像形成装置が開示されている。この装置によれば、試し画像の出力によって予め出力される画像を確認し、ミスを未然に防止して用紙やトナー等の無駄を防ぐことができる。
しかしながら、確認は用紙に形成された試し画像によって行うため、試し画像を形成する分の用紙等は依然として無駄になってしまうという問題があった。
【０００４】
【発明が解決しようとする課題】
この発明は、上記の問題を解決し、画像形成装置において複雑な設定を行う場合でも、操作ミスや確認のために用紙等を無駄にすることなく、容易に適切な画像形成や後処理を行えるようにすることを目的とする。
【０００５】
【課題を解決するための手段】
この発明の画像形成装置は、上記の目的を達成するため、形成すべき画像の画像データを入力する画像データ入力手段と、その画像データを蓄積する画像データ蓄積手段と、その画像データ蓄積手段に蓄積された画像データに基づいて用紙に画像を形成する画像形成手段と、画像形成後の用紙に対して後処理を行う後処理手段と、上記後処理の種類を選択する後処理選択手段とを有する画像形成装置において、上記後処理選択手段によって選択し得る後処理にはそれぞれステープル位置の異なる複数のステープル処理を含め、上記画像データ蓄積手段に蓄積された画像データを縮小サイズの画像データに変換する画像データ縮小手段と、白紙に対してステープル処理を行った場合の２枚の用紙の見開き状態の仕上がり画像のデータを、上記後処理選択手段によって選択し得る各位置のステープル処理毎に記憶する記憶手段と、縮小前の画像データに基づいて画像形成する用紙に上記後処理選択手段によって選択された後処理を施した場合の状態を示す仕上がり画像を上記縮小サイズの画像データを加工して表示する仕上がり画像表示手段とを設け、上記仕上がり画像表示手段に、上記後処理選択手段によって選択されているステープル処理について上記記憶手段が記憶している見開き状態の仕上がり画像に上記縮小サイズの画像データを合成した仕上がり画像を表示する手段を設けたことを特徴とする。
【０００６】
このような画像形成装置において、上記仕上がり画像表示手段によって表示する仕上がり画像のページを指定する仕上がりページ指定手段を設けるとよい。
また、上記後処理選択手段によって選択し得る後処理に穴開け処理も含め、上記仕上がり画像表示手段を、上記後処理選択手段によって選択された後処理の種類に従って白紙に対して上記ステープル処理を行った画像のデータと上記穴開け処理によって生じる穴の画像データと上記縮小サイズの画像データとを合成して上記仕上がり画像を表示する手段とするとよい。
【０００７】
これらの画像形成装置において、上記仕上がり画像表示手段が、上記後処理選択手段によってステープル処理が選択された場合には第１ページと最終ページ以外のページについて上記見開き状態の仕上がり画像に上記縮小サイズの画像データを合成した仕上がり画像を表示するようにするとよい。
さらに、上記仕上がり画像表示手段が、上記仕上がり画像を表示した後で上記後処理選択手段によって新たに後処理の選択が行われた場合にはその選択に基づいて再度上記仕上がり画像を表示する手段を有するようにするとよい。
【０００８】
【発明の実施の形態】
以下、この発明の好ましい実施の形態を図面を参照して説明する。
まず、この発明の画像形成装置の実施形態であるデジタル複写機について、図１及び図２を用いて説明する。図１はそのデジタル複写機の構成を簡単に示す図、図２はそのデジタル複写機の構成を制御系を中心に示すブロック図である。
このデジタル複写機は、図１に示すようにスキャナ部１０１とレーザ記録部１０２と後処理部１０３とを備えており、スキャナ部１０１によって読み取った原稿の画像データに基づいてレーザ記録部１０２によって用紙に画像を形成し、画像形成済の用紙に後処理部１０３によってステープル処理、パンチ穴開け処理等の後処理を施す装置である。
【０００９】
スキャナ部１０１は画像データ入力手段であり、透明なコンタクトガラス１０４と、原稿台１０５ａにセットされた原稿を１枚ずつコンタクトガラス１０４上の所定の位置に給送する自動両面原稿送り装置（ＲＡＤＦ）１０５と、そのコンタクトガラス１０４の上面に載置された原稿の画像を読み取るスキャナユニット１０６とによって構成されている。
ここで、ＲＡＤＦ１０５は、原稿台１０５ａからコンタクトガラス１０４上を経て図示しない排出トレイに至る片面原稿給送路、およびスキャナユニット１０６による片面の画像の読み取りが完了した原稿の表裏を反転して再度コンタクトガラス１０４上に給送する両面原稿給送路を有し、片面、両面の原稿どちらにも対応できる。また、スキャナユニット１０６は、原稿をランプで照射し、原稿からの反射光をレンズやミラー等により光電変換素子（ＣＣＤ）の受光面に結像させて原稿の画像を読み取る。この光電変換素子は、受光した反射光を電気信号に変換し、後述する画像処理部へ出力する。
【００１０】
レーザ記録部１０２は画像形成手段であり、用紙搬送部１０７とレーザ書き込みユニット１０８と電子写真プロセス部１０９とを備えている。用紙搬送部１０７は用紙を電子写真プロセス部１０９に搬送するユニットであり、用紙の両面に画像を形成する両面複写モード時に画像の定着を行う定着ローラを通過した用紙を表裏反転して再度電子写真プロセス部１０９に導く副搬送路を備えている。
レーザ書き込みユニット１０８は、後述する画像処理部から供給される画像データに基づいて半導体レーザを駆動してレーザ光を出射させ、ミラーやレンズを通してそのレーザ光を偏向して電子写真プロセス部１０９の感光体ドラム表面を走査し、静電潜像を形成する。電子写真プロセス部１０９は、この静電潜像をトナーによって顕像化し、これを用紙搬送部１０７によって搬送された用紙上に転写し、定着ローラで加熱・加圧することにより、トナーを溶融して用紙の表面に定着させ、用紙に画像形成を行う。
後処理部１０３は後処理手段であり、画像形成が完了して電子写真プロセス部１０９から排出された用紙に対して、装置の設定に応じて用紙揃え、ステープル処理、パンチ穴開け処理等を行って排紙トレイ１０３ａ又は１０３ｂに排出する。
【００１１】
このデジタル複写機においては、図２に示す画像処理ボード２１０のＣＰＵ２１１が、ユニット毎に配置されたボードに搭載されたＣＰＵを介して各ユニットを構成する機器を統括して制御を行う。これらのボードがこのデジタル複写機の制御部であり、画像処理ボード２１０の他に、ＣＣＤボード２２０、マシンコントロールボード２３０、オペレーションパネルボード２５０を搭載している。
画像処理ボード２１０は、画像データに対して各種の画像処理を施すＣＰＵを周辺部品と共に搭載したボードであり、画像処理部２１２，メモリ／ハードディスクドライブ（ＨＤＤ）制御部２１３，メモリ２１４，レーザコントロールユニット２１５を備えている。これらの各部の動作については後述する。
【００１２】
ＣＣＤボード２２０は、光電変換素子を周辺部品と共に搭載したボードであり、Ａ／Ｄ変換回路２２１，ＣＣＤ制御回路２２２，アナログ回路２２３，ＣＣＤ２２４を備えている。そして、ＣＣＤ制御回路２２２によって制御されるＣＣＤ２２４が原稿からの反射光を受光すると、その情報を電気信号に変換し、アナログ回路２２３によってゲイン調整を行い、さらにＡ／Ｄ変換回路２２１によって８ビットのデジタル画像データに変換して画像処理ボード２１０の画像処理部２１２に送出する。
【００１３】
マシンコントロールボード２３０は、装置内の各機器を管理するボードであり、ＣＰＵ２３２とメモリ２３１を備え、これらによって後処理部１０３，ＲＡＤＦ１０５，スキャナユニット１０６，用紙搬送部１０７，プロセス部２３３，両面ユニット２３５の制御を行う。ここで、後処理部１０３とＲＡＤＦ１０５はそれぞれ内部にＣＰＵ２４０とＣＰＵ２３９を備えている。
オペレーションパネルボード２５０は、装置の上面に設けられた操作パネル３００を管理するボードであり、ＣＰＵ２５１とメモリ２５２を備えている。操作パネル３００はタッチパネルを積層した液晶ディスプレイ（ＬＣＤ）３０２と各種の操作キー３０１とを備えているが、その詳細は後述する。
【００１４】
ここで、このデジタル複写機における自動原稿給送コピーモードの画像データ処理について説明する。
ＲＡＤＦ１０５によってコンタクトガラス１０４上に給送された原稿の画像がスキャナユニット１０６によって読み取られると、前述のようにその情報はスキャナユニット１０６内のＣＣＤボード２２０によってデジタル画像データに変換され、画像処理ボード２１０の画像処理部２１２に送出される。
【００１５】
この画像データは、画像処理部２１２において所定の画像処理が施された後、メモリ／ＨＤＤ制御部２１３を介して一旦メモリ２１４に格納される。そして、その後画像データ蓄積手段であるＨＤＤ２１６に蓄積される。ここまでの処理がＲＡＤＦ１０５にセットされた全ての原稿について終了した後、ＨＤＤ２１６に蓄積された画像データを、メモリ／ＨＤＤ制御部２１３によって読み出し、画像処理部２１２によって画像処理を施してメモリ２１４にページ順に展開する。
この画像データを、レーザコントロールユニット２１５を介してレーザ書き込みユニット１０８の半導体レーザ２１７に供給して半導体レーザ２１７を駆動し、画像形成を行う。複数部の画像形成を行う場合には、ＨＤＤ２１６からの読み出しから画像形成までの処理を、設定部数回だけ繰り返す。従って、複数部の画像形成を行う場合でも原稿の読み取りは１回のみでよい。
【００１６】
次に、前述した操作パネル３００について図３乃至図５を用いて説明する。図３はその操作パネルの構成と表示例を示す図、図４及び図５はそれぞれそのＬＣＤの別の表示例を示す図である。
操作パネル３００は、図３に示すように操作キー３０１とＬＣＤ３０２を備えている。操作キー３０１としては、複写動作の実行中に別の複写モードに係わる複写動作を割り込み処理させるための割り込みキー３１３，設定内容をリセットするためのリセットキー３１４，複写動作中に動作の停止を指示するためのストップキー３１５，複写動作の開始を指示するためのスタートキー３１６，出力画像の仕上がり状態の表示を指示するための仕上がり表示キー３１７，複写枚数等の数値情報を入力するためのテンキー３１８の各キーを備えている。
【００１７】
ＬＣＤ３０２は、様々なキーやメッセージを表示し、その上に積層されたタッチパネルによって表示したキーの操作状態を検知することができる。図３においては、初期設定画面として、用紙を選択するための用紙選択キー３０３、画像形成済用紙の整列順を指定するためのソートキー３０４とスタックキー３０５、ステープル処理の位置を指定するためのステープルキー３０６，３０７，３０８、パンチ穴開け処理の設定を行うためのパンチ穴キー３０９、複数ページ分の画像を縮小して１枚の用紙に形成する集約モードを設定するための集約キー３１０、画像の拡大・縮小を設定するための変倍キー３１１、用紙の両面に画像を形成する両面モードを設定するための両面キー３１２、画像の濃度を設定するための濃度設定キー３１９を表示した状態を示している。
【００１８】
図３に示した状態から、ＬＣＤ３０２に表示された集約キー３１０，変倍キー３１１，両面キー３１２のいずれかを押下すると、ＬＣＤ３０２の表示はそれに応じて変化する。例えば、両面キー３１２を押下すると、ＬＣＤ３０２の表示は図４に示すような両面設定画面に切り替わる。ここで片面→両面キー４０２を押下すると、片面原稿読み取り／両面画像形成モードが設定され、両面→両面キー４０３を押下すると、両面原稿読み取り／両面画像形成モードが設定される。そして、戻るキー４０４を押下すると図３に示した元の画面に切り替わる。
また、図３の画面で集約キー３１０を押下すると、ＬＣＤ３０２の表示は図５に示すような集約設定画面に切り替わる。ここで４枚毎キー５０２を押下すると１枚の用紙に４ページ分の画像を形成する４ページ集約モードが設定され、８枚毎キー５０３を押下すると１枚の用紙に８ページ分の画像を形成する８ページ集約モードが設定される。戻るキー５０４を押下すると図３に示した元の画面に切り替わる。
【００１９】
次に、このデジタル複写機で図６に示した６枚の原稿を後処理を設定して複写する場合の動作について図７乃至図１３も用いて説明する。図７乃至図１３はそれぞれ、このデジタル複写機における複写動作中のＬＣＤの表示例を示す図である。なお、複写開始前に片面原稿読み取り／両面画像形成モードと４ページ集約モードを設定し、さらに後処理として左上側のステープル処理とパンチ穴開け処理とを、それぞれステープルキー３０６とパンチ穴キー３０９とによって設定するものとする。
【００２０】
これらの設定後、ＲＡＤＦ１０５に原稿をセットして図３に示した仕上がり表示キー３１７を押下すると、上述のように全ての原稿の画像が読み込まれてその画像データが図２に示したＨＤＤ２１６に蓄積される。その後、画像形成を行う前に、この画像データをメモリ２１４にページ順に展開し、メモリ／ＨＤＤ制御部２１３によってアドレスを間引いてアクセスしてオペレーションパネルボード２５０のＣＰＵ２５１に転送し、メモリ２５２に画像形成用の画像データを縮小した表示用の縮小画像データを蓄積する。ここでは、メモリ／ＨＤＤ制御部２１３とＣＰＵ２５１とが画像データ縮小手段として機能する。
【００２１】
１ページ毎の全ての縮小画像データをメモリ２５２に蓄積した後、ＣＰＵ２５１は、設定されている後処理や画像形成モードの情報を基に縮小画像データを加工して、画像形成後の用紙に選択されている後処理を施した場合の状態を示す仕上がり画像を生成し、ＬＣＤ３０２に仕上がり画像を表示する。ここでは、ＣＰＵ２５１とＬＣＤ３０２とが仕上がり画像表示手段として機能する。
この例の場合には、まず図７に示す画像が表示される。図７では、指定通り両面画像形成，４ページ集約で画像形成を行い、後処理として左上ステープル処理とパンチ穴開け処理を行った場合の１ページ目の用紙の仕上がり状態を示す仕上がり画像６０６と共に、ページ番号表示６０２、ページめくりのための前ページキー６０３と次ページキー６０４、仕上がり画像表示を終了するための戻るキー６０５も表示している。
【００２２】
ここで次ページキー６０４を押下すると、ＣＰＵ２５１は次のページの仕上がり画像を生成してＬＣＤ３０２に表示する。この画面は図８のようになる。この例のようにステープル処理が選択されている場合には、２ページ目以降最終ページの前のページまでの仕上がり画像は、図８に示すように見開きの画像として表示する。なお、この例では原稿が６枚であるので、仕上がりは３ページ分の画像になるが、仕上がり画像表示の上では最後（２枚目）の用紙の裏面の空白となるページ（４ページ目）を最終ページとする。また、ここでは次ページキー６０４によって表示するページを指定する例を示したが、テンキー３１８によってページ番号を入力し、＃キーによって表示ページを決定することもできる。従って、ここでは前ページキー６０３、次ページキー６０４、テンキー３１８とＣＰＵ２５１とが仕上がりページ指定手段として機能する。
【００２３】
ユーザが図７及び図８の仕上がり画像によって仕上がり状態を確認後、戻るキー６０５を押下すると、ＣＰＵ２５１は図９に示すような出力可否入力画面をＬＣＤ３０２に表示する。ユーザは確認した仕上がり状態で出力してよいときにはＹＥＳキー８０２を押下し、設定を変更したい場合にはＮＯキー８０３を押下すればよい。ＹＥＳキー８０２が押下されると、ＨＤＤ２１６に蓄積されている画像データに基づいて前述のように画像形成を行い、画像形成後の用紙に対して後処理部１０３によって設定されている後処理を行い、仕上がり画像として表示された通りの出力が得られる。
【００２４】
ＮＯキー８０３が押下された場合には、ＣＰＵ２５１は図１０に示すような後処理変更画面をＬＣＤ３０２に表示する。この画面にはステープル処理の位置を設定するためのステープルキー９０２，９０３，９０４とパンチ穴開け処理の設定を行うパンチ穴キー９０５が表示されており、ユーザはこれらのキーによって後処理の設定を変更することができる。図１０には、ステープルキー９０３によってステープル処理の位置を左下に変更し、パンチ穴キー９０５を押下してパンチ穴開け処理を解除した状態を示している。
【００２５】
このように新たに後処理の選択を行った状態で仕上がり画面に戻るキー９０６を押下すると、ＣＰＵ２５１は新たに選択された後処理の情報に基づいて再度仕上がり画像を生成し、ＬＣＤ３０２に表示する。ここではステープル処理の位置を左下に変更し、パンチ穴開け処理を解除したので、今回の仕上がり画像は図１１に示すようになる。ここでも、ページめくりキーあるいはテンキーによって他のページを指定すると、図１２に示すようにそのページの見開きの仕上がり画像を表示する。ただし、ステープル処理の位置を変更したことに伴ってページが開く向きが変化している。また、図１０の状態で中止キー９０７を押下すると設定を消去し、初期設定画面に戻る。
【００２６】
ここで、仕上がり画像の生成について図１３乃至図１８も用いてさらに詳しく説明する。図１３乃至図１８はそれぞれ、このデジタル複写機において仕上がり画像の生成のために予めメモリに記憶させておく画像の例を示す図である。
既に説明したように、ＣＰＵ２５１は設定されている後処理や画像形成モードの情報を基に縮小画像データを加工して仕上がり画像を生成するが、オペレーションパネルボード２５０のメモリ２５２には予め、白紙に対してステープル処理を行った状態の仕上がり画像のデータを、ステープル処理の各位置毎に記憶しており、ＣＰＵ２５１は、この画像のデータと形成する画像のデータとを合成することによって表示すべき仕上がり画像を生成する。
【００２７】
ここで、メモリ２５２に記憶しておくデータは、例えば、ステープル処理の位置が左下のものとしては図１３に示すような画像、ステープル処理の位置が左上のものとしては図１４に示すような画像のデータである。後者では前者よりも若干下側の位置に用紙が表示されているが、これは、見開きページの画像を表示する場合に画面内にきれいに収まるようにするためである。
また、メモリ２５２には、図１５乃至図１８に示すように見開き状態や最終ページの白紙の仕上がり画像も、ステープル処理の各位置毎に記憶しており、ＣＰＵ２５１は、見開き状態や最終ページの仕上がり画像を表示する場合には、これらの画像のデータと形成する画像の縮小画像データとを合成することによって表示すべき仕上がり画像を生成する。なお、図にはステープル処理の位置が中央である場合の画像は示していないが、もちろんこれに対応する画像のデータもメモリ２５２に記憶している。
【００２８】
さらに、メモリ２５２には、パンチ穴開け処理によって生じるパンチ穴の画像も記憶しており、パンチ穴開け処理が選択されている場合には、上記の合成によって生成した仕上がり画像にさらにこのパンチ穴の画像を合成して表示すべき仕上がり画像を生成する。
なお、ここでは選択し得る後処理がステープル処理と穴開け処理である場合について説明したが、これ以外の後処理が選択可能である場合や、一方のみが選択可能である場合でも、選択し得る後処理を施す加工を白紙に対して行った画像のデータ及び／又はその加工によって生じる変化（上述の場合は穴）の画像データとをメモリ２５２に記憶させておき、これらと形成すべき画像の縮小画像データとを合成して仕上がり画像を生成して表示するようにすればよい。
【００２９】
次に、図１９のフローチャートを用いて、このデジタル複写機の動作について、仕上がり画像表示の処理を中心にさらに説明する。図１９は、そのデジタル複写機の動作を説明するためのフローチャートである。
このデジタル複写機の制御部は、ＲＡＤＦ１０５に原稿がセットされた状態で仕上がり表示キー３１７が押下されると、図１９のフローチャートに示した処理を開始する。
【００３０】
まず、ステップＳ１で設定されているステープル処理の有無と位置及びパンチ穴開け処理の有無の後処理情報を取得する。次に、ステップＳ２で読み取りモードの設定に応じてＲＡＤＦ１０５からコンタクトガラス１０４上に給送して原稿の画像を読み取り、出力モードの設定に応じて画像処理を行い、出力画像データを作成してＨＤＤ２１６に蓄積する。出力画像１ページ分の蓄積が完了するとステップＳ３に進んで作成した画像数をカウントしてページ番号とする。そしてステップＳ４に進み、まだ読み取る原稿が残っていればステップＳ２に戻って処理を繰り返す。
【００３１】
ステップＳ４で読み取りが終了していれば、ステップＳ５に進み、前述したようにＣＰＵ２５１が縮小画像データを生成してメモリ２５２に蓄積し、後処理情報に従って縮小画像データと予め蓄積してある白紙の画像データや穴の画像データとを合成して１ページ目の仕上がり画像を生成してＬＣＤ３０２に表示する。そしてステップＳ６に進み、戻るキー６０５が押下されたかどうか判断する。押下されていなければステップＳ７に進み、ページ選択があったかどうか判断する。ここで、ページ選択は前述のように、前ページキー６０３あるいは次ページキー６０４の押下や、テンキー３１８によってページ番号を入力して＃キーを押下することによって行うことができる。ページ選択があれば、ステップＳ８に進んでＣＰＵ２５１が新たなページ番号の情報と後処理情報に従って仕上がり画像を生成してＬＣＤ３０２に表示する。そして、ステップＳ６に戻って処理を繰り返す。ステップＳ７でページ選択がなければ、そのままステップＳ６に戻って処理を繰り返す。
【００３２】
一方、ステップＳ６で戻るキー６０５が押下されていれば、ステップＳ９に進み、図９に示す出力可否入力画面を表示してユーザに出力可否の選択を要求する。
どちらかが選択されるとステップＳ１０に進んで出力を行うかどうか判断し、出力を行わない場合にはステップＳ１１に進んで図１０に示した後処理変更画面を表示して後処理の変更の入力を受け付ける。
そして、ステップＳ１２に進んで仕上がり画面に戻るキー９０６が押下されたかどうか判断し、押下されていればステップＳ１６に進んで新たに設定された後処理情報を取得してからステップＳ５に戻って処理を繰り返す。ステップＳ１２で押下されていなければ、ステップＳ１３に進んで中止キー９０７が押下されたかどうか判断し、押下されていれば、ステップＳ１５に進んで図３に示した初期画面を表示して終了する。ステップＳ１３で押下されていなければ、ステップＳ１２に戻って処理を繰り返す。
【００３３】
一方、ステップＳ１０で出力を行うと判断した場合には、ステップＳ１４に進み、既に述べたようにＨＤＤ２１６に蓄積された画像データに基づいて用紙に画像を形成し、画像形成済の用紙に設定されている後処理を施す。そして、ステップＳ１５に進んで図３に示した初期画面を表示して終了する。
このようなデジタル複写機によれば、用紙に画像形成を行う前に操作パネルに仕上がり状態を表示させて確認することができるので、操作ミスや確認のために用紙やトナー等を無駄にすることがなく、また操作性も向上させることができる。
また、以上の実施形態では、画像形成装置の実施形態としてデジタル複写機について説明したが、この発明はプリンタやデジタル複合機のような他の画像形成装置にも適用可能であることは言うまでもない。
【００３４】
【発明の効果】
以上の説明から明らかなように、この発明の画像形成装置によれば、用紙に画像形成を行う前に操作パネルに仕上がり状態を表示させて確認することができるので、操作ミスや確認のために用紙やトナー等を無駄にすることがなく、また操作性も向上させることができる。
さらに、表示させる仕上がり画像のページを指定する手段を設けたり、第１ページと最終ページ以外の仕上がり画像を見開きの状態で表示するようにしたりすれば、ページ毎に仕上がり状態をよりわかりやすく確認できるようになり、一層設定ミスを減らすことができる。
【００３５】
また、予め白紙の仕上がり画像やその変化の画像のデータを記憶しておき、表示画像データと合成して仕上がり画像を表示するようにすれば、仕上がり画像の表示がより簡易な処理で可能になる。
さらに、仕上がり画像の表示を行った後で別の後処理が選択された場合にその選択に基づいた仕上がり画像を再度表示するようにすることにより、初めの仕上がりが所望のものでなかった場合でも容易に設定を変更してその結果を確認することができ、一層操作性を向上させることができる。
【図面の簡単な説明】
【図１】この発明の実施形態であるデジタル複写機の構成を簡単に示す図である。
【図２】そのデジタル複写機の構成を制御系を中心に示すブロック図である。
【図３】その操作パネルの構成と表示例とを示す図である。
【図４】その操作パネルのＬＣＤにおける両面設定画面の表示例を示す図である。
【図５】同じく集約設定画面の表示例を示す図である。
【図６】この発明の実施形態であるデジタル複写機の動作を説明するための原稿の例を示す図である。
【図７】その第１ページの仕上がり画面の表示例を示す図である。
【図８】同じく第２ページ及び第３ページの仕上がり画面の表示例を示す図である。
【図９】同じく出力可否入力画面の表示例を示す図である。
【図１０】同じく後処理変更画面の表示例を示す図である。
【図１１】同じく後処理変更画面での後処理の変更を反映した第１ページの仕上がり画面の表示例を示す図である。
【図１２】同じく第２ページ及び第３ページの仕上がり画面の表示例を示す図である。
【図１３】そのデジタル複写機において予めメモリに記憶させておく画像の例を示す図である。
【図１４】同じく別の画像の例を示す図である。
【図１５】同じくさらに別の画像の例を示す図である。
【図１６】同じくさらに別の画像の例を示す図である。
【図１７】同じくさらに別の画像の例を示す図である。
【図１８】同じくさらに別の画像の例を示す図である。
【図１９】そのデジタル複写機の動作を説明するためのフローチャートである。
【符号の説明】
１０１：スキャナ部        １０２：レーザ記録部
１０３：後処理部          １０４：コンタクトガラス
１０５：自動両面原稿送り装置
１０６：スキャナユニット  １０７：用紙搬送部
１０８：レーザ書き込みユニット
１０９：電子写真プロセス部
２１０：画像処理ボード
２１１，２３２，２５１：ＣＰＵ
２１２：画像処理部    ２１３：メモリ／ＨＤＤ制御部
２１４，２３１，２５２：メモリ
２１５：レーザコントロールユニット
２１６：ＨＤＤ            ２１７：半導体レーザ
２２０：ＣＣＤボード
２３０：マシンコントロールボード
２５０：オペレーションパネルボード
３００：操作パネル        ３０１：操作キー
３０２：ＬＣＤ
【図１】
0004160285.tif 000002
【図２】
0004160285.tif 000003
【図３】
0004160285.tif 000004
【図４】
0004160285.tif 000005
【図５】
0004160285.tif 000006
【図６】
0004160285.tif 000007
【図７】
0004160285.tif 000008
【図８】
0004160285.tif 000009
【図９】
0004160285.tif 000010
【図１０】
0004160285.tif 000011
【図１１】
0004160285.tif 000012
【図１２】
0004160285.tif 000013
【図１３】
0004160285.tif 000014
【図１４】
0004160285.tif 000015
【図１５】
0004160285.tif 000016
【図１６】
0004160285.tif 000017
【図１７】
0004160285.tif 000018
【図１８】
0004160285.tif 000019
【図１９】
0004160285.tif 000020